(57)【要約】【課題】  本発明は、極めて商品価値の高い画期的な換気装置を提供することを目的とする。【解決手段】  壁面１に設けた換気孔１ａに付設される換気装置であって、換気孔１ａに連設される筒状の取付本体２と、この取付本体２の正面開口部に設けられ、該正面開口部を開閉する開閉蓋体３とから成り、この開閉蓋体３には、該開閉蓋体３が突没することで閉塞位置、開放途中位置及び最大開放位置の複数の位置に段階的に切り替わる開閉機構Ｋが設けられており、この開閉機構Ｋは、前記開閉蓋体３の最大開放位置から開放途中位置への切り替えを該開閉蓋体３の一押し操作により行なわれるものである。【選択図】      図１
2007010250.tif 000002
【特許請求の範囲】
【請求項１】
壁面に設けた換気孔に付設される換気装置であって、換気孔に連設される筒状の取付本体と、この取付本体の正面開口部に設けられ、該正面開口部を開閉する開閉蓋体とから成り、この開閉蓋体には、該開閉蓋体が突没することで閉塞位置、開放途中位置及び最大開放位置の複数の位置に段階的に切り替わる開閉機構が設けられており、この開閉機構は、前記開閉蓋体の最大開放位置から開放途中位置への切り替えを該開閉蓋体の一押し操作により行なわれる構成であることを特徴とする換気装置。
【請求項２】
壁面に設けた換気孔に付設される換気装置であって、換気孔に連設される筒状の取付本体と、この取付本体の正面開口部に設けられ、該正面開口部を開閉する開閉蓋体とから成り、この開閉蓋体には、該開閉蓋体が突没することで閉塞位置、開放途中位置及び最大開放位置の複数の位置に段階的に切り替わる開閉機構が設けられており、この開閉機構は、最大開放位置にある前記開閉蓋体を押し込むことにより第一の係止がなされることで該開閉蓋体は開放途中位置となり、更に押し込むことにより第一の係止が解除され第二の係止がなされることで該開閉蓋体は閉塞位置となり、更に押し込むことにより第二の係止が解除され前記最大開放位置に復帰動するように構成されていることを特徴とする換気装置。
【請求項３】
請求項１，２いずれか１項に記載の換気装置において、前記壁面は、前記開閉蓋体の裏面に突設された筒体と前記取付本体内に設けられた筒体とを嵌合連設することにより機能するものであることを特徴とする換気装置。
【発明の詳細な説明】
【技術分野】
【０００１】
本発明は、換気装置に関するものである。
【背景技術】
【０００２】
従来から、換気しようとする建物の壁面に設けた換気孔に付設される換気装置として、通気可能状態と通気不能状態とを切り替えることができる開閉機能付きの換気装置が提案されている。
【０００３】
本来、この換気装置には、建築基準法の関係などから常に部屋の内と外とを通気可能な状態としておくことが要求されているが、その一方で、例えば台風や強風の際など、開放していては不都合が生じてしまうやむを得ない状況において通気不能状態にしたいという要求もある。
【０００４】
この開閉機能付きの換気装置は、換気孔に接続される筒状の取付本体と、この取付本体の正面開口部に設けられ、該正面開口部を開閉する開閉蓋体とから成り、開閉蓋体の押し操作により閉塞位置と開放位置とに切り替えることができる構造のものが一般的である。
【０００５】
ところで、この開閉機能付きの換気装置として、開閉蓋体の位置（閉塞位置、開放途中位置、最大開放位置の複数の位置）を段階的に切り替える開閉機構を具備したタイプのものが提案されている（以下、従来例という。）。
【０００６】
この従来例であれば、開閉蓋体の開閉位置を切り替えることで、取付本体の正面開口部の開口度合いを可変して通気量を調整することができる。
【発明の開示】
【発明が解決しようとする課題】
【０００７】
従来例は、開放位置から閉塞位置、閉塞位置から開放途中位置、開放途中位置から開放位置という順番で開閉蓋体の開閉が行なわれているが、ユーザーにとっては、開放位置から開放途中位置への切り替えが最も必要である。即ち、通気を遮断はしたくないが、絞りたい場合が日常生活において最も必要である。
【０００８】
にもかかわらず、従来例は、開放位置から閉塞位置を通過しない限り、開放途中位置を実現できず、極めて厄介である。
【０００９】
また、従来例は、取付本体に対する開閉蓋体の取付構造が、取付本体の後方側から部品を配して取り付ける構造が一般的であり、壁面に設置した後、万一部品を取り替える必要が生じた場合、装置全体（取付本体）を壁面から取り外さなければならないなど非常にメンテナンス性が悪いという問題点もある。
【００１０】
本発明は、上述の問題点に鑑み開発されたもので、非常に操作性が良く実用性に秀れた換気装置を提供するものである。
【課題を解決するための手段】
【００１１】
添付図面を参照して本発明の要旨を説明する。
【００１２】
壁面１に設けた換気孔１ａに付設される換気装置であって、換気孔１ａに連設される筒状の取付本体２と、この取付本体２の正面開口部に設けられ、該正面開口部を開閉する開閉蓋体３とから成り、この開閉蓋体３には、該開閉蓋体３が突没することで閉塞位置、開放途中位置及び最大開放位置の複数の位置に段階的に切り替わる開閉機構Ｋが設けられており、この開閉機構Ｋは、前記開閉蓋体３の最大開放位置から開放途中位置への切り替えを該開閉蓋体３の一押し操作により行なわれる構成であることを特徴とする換気装置に係るものである。
【００１３】
また、壁面１に設けた換気孔１ａに付設される換気装置であって、換気孔１ａに連設される筒状の取付本体２と、この取付本体２の正面開口部に設けられ、該正面開口部を開閉する開閉蓋体３とから成り、この開閉蓋体３には、該開閉蓋体３が突没することで閉塞位置、開放途中位置及び最大開放位置の複数の位置に段階的に切り替わる開閉機構Ｋが設けられており、この開閉機構Ｋは、最大開放位置にある前記開閉蓋体３を押し込むことにより第一の係止がなされることで該開閉蓋体３は開放途中位置となり、更に押し込むことにより第一の係止が解除され第二の係止がなされることで該開閉蓋体３は閉塞位置となり、更に押し込むことにより第二の係止が解除され前記最大開放位置に復帰動するように構成されていることを特徴とする換気装置に係るものである。
【００１４】
また、請求項１，２いずれか１項に記載の換気装置において、前記壁面１は、前記開閉蓋体３の裏面に突設された筒体と前記取付本体２内に設けられた筒体とを嵌合連設することにより機能するものであることを特徴とする換気装置に係るものである。
【発明の効果】
【００１５】
本発明は上述のように構成したから、開閉機能付きの換気装置においてユーザーが望む状態が簡易且つ迅速に得られることになるなど、非常に操作性が良く実用性に秀れた換気装置となる。
【発明を実施するための最良の形態】
【００１６】
好適と考える本発明の実施形態を、図面に基づいて本発明の作用を示して説明する。
【００１７】
本発明は、最大開放位置にある開閉蓋体３を開閉蓋体３の一押し操作により開放途中位置に切り替えることができる。
【００１８】
従って、開閉機能付きの換気装置においてユーザーが望む状態、特に開放位置にある開閉蓋体３を通気量を少し絞った開放途中位置としたい場合に簡易且つ迅速に切り替えることができることになる。
【実施例】
【００１９】
本発明の具体的な一実施例を図面に基づいて説明する。
【００２０】
本実施例は、壁面１に設けた換気孔１ａに付設される換気装置であって、換気孔１ａに連設される筒状の取付本体２と、この取付本体２の正面開口部に設けられ、該正面開口部を開閉する開閉蓋体３とから成るものである。
【００２１】
以下、本実施例に係る構成各部について詳細な説明をする。
【００２２】
取付本体２は、図１，２に図示したように適宜な合成樹脂製の部材で形成されており、筒状部11と、この筒状部11の正面開口部に設けられ外方に突出する蓋体配設部12とで構成されている。
【００２３】
取付本体２は、建物の壁面１に設けた換気孔１ａに筒状部11を嵌合させ、蓋体配設部12を壁面１に添設することで取り付けられる。
【００２４】
筒状部11の中央には、管状部４が設けられ、この管状部４の外周面には複数（４枚）のリブ11ａが放射状に突設され、このリブ11ａは該筒状部11の内周面に連設されている。
【００２５】
この管状部４には、後述する開閉蓋体３に設けられる棒状部５が挿入され、該開閉蓋体３は蓋体配設部12の正面開口部に嵌入されることになる。
【００２６】
また、管状部４は、有底筒状体であり、周壁には溝部６が設けられ、この溝部６は、棒状部５に設けられる抜け止め部14をガイドするように構成されている。
【００２７】
また、棒状部５は、管状部４に対して回り止め状態にスライドするように構成されている（棒状部５の周壁の凹溝５ｂ’と管状部４の内面の突条４ａとの嵌合）。この棒状部５の管状部４内での没入方向へのスライドは、該管状部４内に配された付勢体Ｓに抗して行なわれる。
【００２８】
尚、抜け止め部14が溝部６の先端部に係止することで棒状部５が管状部４から抜けることが防止される。
【００２９】
棒状部５は、閉塞板部13の裏面中央位置に一体成形される支柱部５Ａと、この支柱部５Ａが着脱自在に挿入連結され、取付本体２の管状部４に挿入される筒状の連結部５Ｂとで構成されている。
【００３０】
支柱部５Ａは、図３に図示したようにその周面に適度な弾性を有して突没する突起５ａが形成されており、連結部５Ｂに挿入した際、該連結部５Ｂに設けた係止窓５ｂに該突起５ａが係止して両者は一体となるように構成されている。この係止窓５ｂに対する突起５ａの係止を解除することで支柱部５Ａと連結部５Ｂとは分離する。
【００３１】
連結部５Ｂは、図３〜５に図示したように前述した取付本体２の管状部４にスライド自在に挿入連結されるもので、筒状部５Ｂ’と環状部５Ｂ''と両者に架設された架設部５Ｂ'''とで構成されている。
【００３２】
筒状部５Ｂ’の先端部には、管状部４に挿入連結した際、該管状部４に設けられた溝部６の先端縁と係止する抜け止め部14が設けられ、また、環状部５Ｂ''には棒状部材16が突設され、この棒状部材16には係止部７が設けられている。
【００３３】
符号20は管状部４内に突設された突体（図示省略）とで付勢体Ｓを支承する受け体、20ａは付勢体Ｓの外れを防止する外れ防止片である。
【００３４】
係止部７は、図３〜５に図示したように棒状部材16の先端部に突設されており、棒状部材16が合成樹脂製で適度な弾性を有する為、該棒状部材16の基端を支点に先端側が撓み変形し、当該係止部７は左右方向（図３中矢印ａ方向）及び上下方向（図３中矢印ｂ方向）に可動するように構成されている。
【００３５】
また、係止部７は、後述する爪部に係止するように形成されており、その側面部７ａ及び背面部７ｂがテーパー面に形成されており、側面部７ａのテーパーは後述する爪部に対する乗り越えを良好にするための構成であり、背面部７ｂのテーパーは後述する誘導部15による誘導を良好にするための構成である。
【００３６】
また、溝部６の奥側の内縁は、対向縁へ距離Ｌだけ突出する突出縁９が設けられ、この突出縁９の先端縁には２つの爪部８（第一爪部８Ａ，第二爪部８Ｂ）が奥側に向かって順に突設されている。また、この第一爪部８Ａ及び第二爪部８Ｂは奥側に向かって湾曲せしめられている。
【００３７】
従って、溝部６を移動する係止部７は、そのテーパー面である側面部７ａが第一爪部８Ａに当接し、該第一爪部８Ａを撓みながら乗り上がりつつ第一爪部８Ａを乗り越え突出縁９に位置して該第一爪部８Ａに係止し、更に、突出縁９の先端縁を移動して第二爪部８Ｂを撓みながら乗り上がりつつ第二爪部８Ｂを乗り越え該第二爪部８Ｂに係止することになる（突出縁９に撓みながら乗り上がった際、係止部７は左右方向への戻り付勢を生じる。）。この第一爪部８Ａ，第二爪８Ｂに対する係止は前述した付勢体Ｓの戻り方向への付勢により発揮され、この係止部７における第一爪部８Ａ，第二爪部８Ｂへの係止により、取付本体２に対する開閉蓋体３の開閉位置が決定することになる。これが、開閉蓋体３の開閉位置を保持する開閉機構Ｋである。
【００３８】
また、溝部６は、その基端側位置にして第二爪部８Ｂの奥側位置に係止部７を初期位置に戻す為の誘導部15が設けられている。
【００３９】
この誘導部15は、前述した第一爪部８Ａ，第二爪部８Ｂと異なり、係止部７のスライド方向に対して直交する壁面15に構成されており、この誘導部15にテーパー面である係止部７の背面部７ｂが当接すると、該係止部７は管状部４の内方向へ外方向への戻り付勢を生じながら誘導されることになる。この際、係止部７は、突出縁９に乗り上げた際に生じていた左右方向への戻り付勢により戻り溝部６位置から外れることになる。この状態で、前述した付勢体Ｓにより付勢され、係止部７は溝部６に係止することなく該溝部６の脇位置を滑り動することになり、該突出縁９がなくなる位置に到達した時点で再び係止部７は溝部６に嵌ることになる。即ち、突出縁９の対向縁側への突出量Ｌ及び係止部７の初期位置はこの点を考慮して決定される。
【００４０】
蓋体配設部12は、取付本体２の正面開口部を形成するものであり、方形状の基板部12ａと、この基板部12ａの該周縁に立ち上がり形成される立ち上がり部12ｂとで構成され、後述する開閉蓋体３の閉塞板部13を収納し得るように構成されている。
【００４１】
また、蓋体配設部12は、開閉蓋体３を閉塞位置とした際、閉塞板部13の表面と立ち上がり部12ｂの先端が略面一状態となるように設定されている。従って、開閉蓋体３により良好な閉塞状態が得られることになる。
【００４２】
開閉蓋体３は、図１，２に図示したように適宜な合成樹脂製の部材で形成したものであり、方形状の閉塞板部13と、この閉塞板部13の裏面中央位置に立設される棒状部５とで構成されている。
【００４３】
以上の構成からなる本実施例の開閉動作について説明する。
【００４４】
図６，７，８に図示した最大開放位置の開閉蓋体３を押し操作すると、図９，10，11に図示したように、溝部６の先端側部位をスライド移動した係止部７は第一爪部８Ａを乗り越え突出縁９に位置する。この際、開閉蓋体３の押し操作を止めると、係止部７は突出縁９の位置にして第一爪部８Ａに係止状態となる為、該開閉蓋体３は取付本体２の正面開口部が僅かに開放する開放途中位置で係止保持されることになる。
【００４５】
続いて、この開放途中位置の開閉蓋体３を更に押し操作すると、図12，13，14に図示したように係止部７は第二爪部８Ｂを乗り越える。この際、開閉蓋体３の押し操作を止めると、係止部７は第二爪部８Ｂに係止状態となる為、該開閉蓋体３は取付本体２の正面開口部が完全に閉塞される閉塞位置で係止保持されることになる。
【００４６】
続いて、図15，16，17に図示したようにこの閉塞位置の開閉蓋体３を更に押し操作すると（この際、開閉蓋体３の閉塞板部13は取付本体２の蓋体配設部12内に一旦没入することになる。）、係止部７は誘導部15により溝部６から外れて付勢体Ｓに付勢されて開閉蓋体３は開放方向に移動することになり、再び最大開放位置に配されることになる。この際、係止部７は、図18，19に図示したように突出縁９の内面位置を滑り動したのち溝部６の先端側部位に再び位置することになる。
【００４７】
以上のように、開閉蓋体３の一押し操作により、最大開放位置から開放途中位置へ、開放途中位置から閉塞位置へ、閉塞位置から最大開放位置へ操作できることになり、更に、押し操作の力加減により、最大開放位置から一気に閉塞位置とすることもでき、操作によっては、最大開放位置から最後まで押し込むことで最大開放位置に一気に戻す操作も行なえることになる。
【００４８】
本実施例は上述のように構成したから、従来例では不可能であった最大開放位置から開放途中位置へ開閉蓋体３のひと押し操作により切り替え可能となる。
【００４９】
また、本実施例は、開閉蓋体３は、取付本体２に対して棒状部５を管状部４に挿入させるだけで完了することになり、着脱が取付本体２の正面側で行なえる構成のため、仮に部品が消耗した場合など、取り替える必要が生じた場合、取付本体は壁面に装着した状態のまま部品の交換が行なえることになり、非常にメンテナンス性が良好である。
【００５０】
尚、本発明は、本実施例に限られるものではなく、各構成要件の具体的構成は適宜設計し得るものである。
【図面の簡単な説明】
【００５１】
【図１】本実施例を示す斜視図である。
【図２】本実施例を示す斜視図である。
【図３】本実施例に係る要部の分解斜視図である。
【図４】本実施例に係る要部の斜視図である。
【図５】本実施例に係る要部の斜視図である。
【図６】本実施例の動作説明図である。
【図７】本実施例に係る要部の動作説明図である。
【図８】本実施例に係る要部の動作説明図である。
【図９】本実施例の動作説明図である。
【図１０】本実施例に係る要部の動作説明図である。
【図１１】本実施例に係る要部の動作説明図である。
【図１２】本実施例の動作説明図である。
【図１３】本実施例に係る要部の動作説明図である。
【図１４】本実施例に係る要部の動作説明図である。
【図１５】本実施例の動作説明図である。
【図１６】本実施例に係る要部の動作説明図である。
【図１７】本実施例に係る要部の動作説明図である。
【図１８】本実施例に係る要部の動作説明図である。
【図１９】本実施例に係る要部の動作説明図である。
【符号の説明】
【００５２】
Ｋ  開閉機構
１  壁面
１ａ  換気孔
２  取付本体
３  開閉蓋体
【図１】
2007010250.tif 000003
【図２】
2007010250.tif 000004
【図３】
2007010250.tif 000005
【図４】
2007010250.tif 000006
【図５】
2007010250.tif 000007
【図６】
2007010250.tif 000008
【図７】
2007010250.tif 000009
【図８】
2007010250.tif 000010
【図９】
2007010250.tif 000011
【図１０】
2007010250.tif 000012
【図１１】
2007010250.tif 000013
【図１２】
2007010250.tif 000014
【図１３】
2007010250.tif 000015
【図１４】
2007010250.tif 000016
【図１５】
2007010250.tif 000017
【図１６】
2007010250.tif 000018
【図１７】
2007010250.tif 000019
【図１８】
2007010250.tif 000020
【図１９】
2007010250.tif 000021